(57)【要約】【課題】  部材の分離によるシール性の低下を防止して信頼性を高めることができる外壁竪目地用ガスケットを提供する。【解決手段】  竪目地７を挟んで互いに対向する一方の外壁８の対向面８ａに圧接する第１シール部材１と、他方の外壁９の対向面９ａに圧接する第２シール部材２とを備え、これら両者の嵌め込みによる一体結合で第１シール部材１と第２シール部材２の間に竪目地７の上下方向にのびる通気路４を形成し、この通気路４が上下方向に所定の間隔を隔てて第２シール部材２に嵌め込んで取付けた仕切部材３，３によって仕切られているとともに、仕切られている通気路４を外部に連通させて空気を流通させるための空気導入口６と空気排出口５が第１シール部材１と第２シール部材２の嵌め込み部を貫通して千鳥状に開口させる。【選択図】        図６
2007169986.tif 000002
【特許請求の範囲】
【請求項１】
建物の外壁の竪目地をシールする外壁竪目地用ガスケットであって、
前記竪目地を挟んで互いに対向する一対の外壁のうちの一方の外壁の対向面に圧接する第１シール部材と、前記一対の外壁のうちの他方の外壁の対向面に圧接する第２シール部材とを備え、これら両者の嵌め込みによる一体結合で第１シール部材と第２シール部材の間に前記竪目地の上下方向にのびる通気路が形成されており、この通気路が上下方向に所定の間隔を隔てて第２シール部材に嵌め込んで取付けた仕切部材によって仕切られているとともに、仕切られている通気路を外部に連通させて空気を流通させるための空気導入口と空気排出口が第１シール部材と第２シール部材の嵌め込み部を貫通して千鳥状に開口している外壁竪目地用ガスケット。
【請求項２】
請求項１において、前記空気導入口が下側の仕切部材の上面に臨んで設けられているとともに、仕切部材の上面が空気導入口側から前記通気路の奥側に向けて上向きに傾斜している外壁竪目地用ガスケット。
【発明の詳細な説明】
【技術分野】
【０００１】
本発明は、外壁竪目地用ガスケットに関するものである。
【背景技術】
【０００２】
従来より、建物の外壁の竪目地をシールして気圧差により雨水が浸入するのを防止する外壁竪目地用ガスケットは公知である（特許文献１）。
【特許文献１】特公平７−４７８６４号公報
【０００３】
前記特許文献１に記載の外壁竪目地用ガスケットは、ゴムなどの弾性材からなり、竪目地を挟んで互いに対向する一対の外壁のうちの一方の外壁の対向面に弾性的に圧接する中空状の止水保持片と、前記一対の外壁のうちの他方の外壁の対向面側に装着される取付脚片と、止水保持片と取付脚片の間に介在して両者に接着された通気用中間片との三部材によって構成されており、通気用中間片には、上下方向にのびる通気孔を設け、この通気孔の下端部を外側に連通させる水平な空気導入口と、通気孔の上端部を内側に連通させる水平な空気排出口とを開口したものである。したがって、外壁竪目地用ガスケットの内外両側は、一連の空気導入口、通気孔および空気排出口を介して互いに連通して、外壁竪目地用ガスケットの内外両側の気圧差をなくすことができるので、気圧差による外壁竪目地用ガスケットより内側への雨水の浸入を防止できる。
【０００４】
しかし、中空状の止水保持片と取付脚片および通気用中間片の三部材が接着によって一体に結合されているので、剥離による三部材の分離でシール性を低下させるおそれがあるので信頼性に劣る。また、通気孔の下端部を外側に連通させる水平な空気導入口が開口されていることによって、降雨が建物の外壁に強く吹き付けられる暴風雨時などでは、雨水が空気導入口に浸入したのち、さらに通気孔の下端部にまで浸入して滞留し通気を妨げることになる。その結果、外壁竪目地用ガスケットの内側の気圧が外側の気圧よりも低くなって、気圧差により外壁竪目地用ガスケットの内側に雨水が浸入する。
【発明の開示】
【０００５】
したがって、本発明の目的は、部材の分離によるシール性の低下を防止することで信頼性を高めることができる外壁竪目地用ガスケットを提供することである。
【０００６】
本発明の外壁竪目地用ガスケットは、第１シール部材と第２シール部材とを嵌め込みによって一体に結合し、第２シール部材に仕切部材を嵌め込んで取付けた嵌合構造を採用しているので、第１シール部材と第２シール部材および仕切部からなる三材部材の分離を強力に抑制できる。したがって、これらに三材部材の分離によるシール性の低下を防止して信頼性を高めることができる。
【０００７】
本発明の外壁竪目地用ガスケットは、その使用時に、第１シール部材が一方の外壁の対向面に圧接し、第２シール部材が他方の外壁の対向面に圧接する。そのため、第１シール部材と第２シール部材に生じる圧接反力で両者の分離が強く拘束される。したがって、第１シール部材と第２シール部材の分離によるシール性の低下を防止して信頼性を高めることができる。
【０００８】
本発明の外壁竪目地用ガスケットは、仕切部材の上面を空気導入口側から通気路の奥側に向けて上向きに傾斜させているので、空気導入口に雨水が浸入しても、この雨水が通気路の下端部にまで浸入して滞留するのを防止することができる。そのため、通気路の通気を確保してガスケットの内外両側の気圧を等圧に保持して、気圧差による雨水の浸入を防止することができる。
【発明を実施するための最良の形態】
【０００９】
以下、本発明の一実施形態を図面にしたがって説明する。
図１および図２において、外壁竪目地用ガスケットＧは、ゴムなどの弾性材料の押し出し成形によって作成されており、断面が一様な長寸の第１シール部材１および第２シール部材２と、断面が一様な短寸の仕切部材３とを備えている。なお、短寸の仕切部材３は、断面が一様な長寸の素材を押し出し成形によって作成したのちに、短い寸法で斜めに平行切断することによって作成される。
【００１０】
第１シール部材１は、長手方向にのびる円筒状の弾性変形部１０と、この弾性変形部１０の平坦な基部１１の外面から第２シール部材２に向けて末広がり状にのびるとともに、台形状の空間部１２を隔てて互いに対向する一対の嵌合片１３ａ，１３ｂとを有し、これら嵌合片１３ａ，１３ｂの外面には階段状の係止部１４が形成されている。また、嵌合片１３ａには長手方向に所定の間隔を隔てて切欠部１６ａが形成され、嵌合片１３ｂには長手方向に所定の間隔を隔てて切欠部１６ｂが形成されており、切欠部１６ａと切欠部１６ｂの形成位置は長手方向で僅かに齟齬している。
【００１１】
第２シール部材２は、平坦な基部２０と、この基部２０の両端部から第１シール部材１に向けて略垂直にのびて互いに対向する一対の外嵌片２１ａ，２１ｂとを有し、基部２０の中央部内面には蟻溝２２が形成され、外嵌片２１ａ，２１ｂの内面には第１シール部材１の階段状の係止部１４と係止可能な階段状の係止部２３が形成されており、外嵌片２１ａ，２１ｂの第１シール部材側端面２４を第１シール部材１における平坦な基部１１の両端に連続する円弧部１５，１５の外面に密着可能な円弧面にしてある。また、外嵌片２１ａには長手方向に所定の間隔（前記切欠部１６ａの長手方向の間隔と等しい間隔）を隔てて切欠部２５ａが形成され、外嵌片２１ｂには長手方向に所定の間隔を隔てて切欠部２５ｂが形成されており、切欠部２５ａと切欠部２５ｂの形成位置は、前記切欠部１６ａと切欠部１６ｂとの齟齬に相当して僅かに齟齬している。
【００１２】
仕切部材３は、断面が台形状の主部３０と、この主部３０の底辺中央部から第２シール部材２に向けて突出する蟻部３１とを有する平面形状が平行四辺形のもので、長手方向の両端には等しい傾斜角（たとえば４５゜）で互いに対向する傾斜面３２ａ，３２ｂを備えており、台形状の主部３０は、これが第１シール部材１の台形状の空間部１２に嵌合された場合に、第１シール部材１の平坦な基部１１の外面と外嵌片２１，２１の内面に密着する大きさに形成され、蟻部３１は、第２シール部材２の蟻溝２２に長手方向の移動を不能に嵌合できる大きさに形成してある。
【００１３】
つぎに、前記外壁竪目地用ガスケットＧの組立手順を図３，図４および図５にしたがって説明する。
まず、一対の仕切部材３，３の蟻部３１を第２シール部材２の蟻溝２２に長手方向の間隔を隔てて嵌合し、一方の仕切部材３の傾斜面３２ａを第２シール部材２の切欠部２５ｂに臨ませるとともに、他方の仕切部材３の傾斜面３２ｂを第２シール部材２の切欠部２５ａに臨ませる。ついで、第１シール部材１の一対の嵌合片１３ａ，１３ｂを第２シール部材２の一対の外嵌片２１ａ，２１ｂの間に嵌め込んで、階段状の係止部１４と階段状の係止部２３とを互いに係合させる。これにより、第２シール部材２における一対の外嵌片２１ａ，２１ｂそれぞれの第１シール側端面２４が第１シール部材１の円弧部１５，１５の外面に密着して、第１シール部材１と第２シール部材２との合わせ面のシール性が確保される。
【００１４】
第１シール部材１の一対の嵌合片１３ａ，１３ｂが第２シール部材２の一対の外嵌片２１ａ，２１ｂの間に嵌め込まれると、一対の仕切部材３，３それぞれの台形状の主部２は第１シール部材１の台形状の空間部１２に嵌合されて、第１シール部材１の平坦な基部１１の外面と外嵌片２１，２１の内面に密着することになる。これにより、第１シール部材１と第２シール部材２および一対の仕切部材３，３の三者が嵌め込みによって一体に結合されるとともに、第１シール部材１の平坦な基部１１の外面と、一対の嵌合片１３ａ，１３ｂの内面と、第２シール部材２の平坦な基部２０の外面の一部と蟻溝２２とで囲まれ、かつ一対の仕切部材３，３によって仕切られて長手方向（上下方向）にのびる閉断面構造の通気路４が形成され、さらに、第１シール部材１の切欠部１６ａと、この切欠部１６ａに隣接する第２シール部材２の切欠部２５ａとで通気路４の上端を外部に連通させる空気排出口５（図５参照）と、第１シール部材１の切欠部１６ｂと、この切欠部１６ｂに隣接する第２シール部材２の切欠部２５ｂとで通気路４の下端を外部に連通させる空気導入口６（図５参照）とを千鳥状に開口した外壁竪目地用ガスケットＧが構成される。
【００１５】
このように、本発明の外壁竪目地用ガスケットＧは、第１シール部材１と第２シール部材２とを嵌め込みによって一体に結合し、さらに、第２シール部材２に一対の仕切部材３，３を嵌め込んで取付けた嵌合構造を採用しているので、第１シール部材１と第２シール部材２および一対の仕切部３，３からなる三材部材の分離を強力に抑制できる。したがって、これら三材部材の分離によるシール性の低下を防止して信頼性を高めることができる。
【００１６】
外壁竪目地用ガスケットＧは、その使用に際して、図６に示すように、建物の竪目地７を挟んで互いに対向する一対の外壁８，９の間に介装される。これにより、一対の外壁８，９のうちの一方の外壁８の対向面８ａに第１シール部材１の円筒状の弾性変形部１０が圧接して弾性変形し、第２シール部材２側に押し付けられて竪目地７の外側（Ｏ）と内側（Ｉ）に向けて拡がるとともに、他方の外壁９の対向面９ａに第２シール部材２の平坦な基部２０の外面を圧接させることによって、外壁竪目地用ガスケットＧが竪目地７内に保持される。
【００１７】
第１シール部材１の円筒状の弾性変形部１０が一方の外壁８の対向面８ａに圧接して弾性変形することによって、第１シール部材１と第２シール部材２に圧接反力が生じるので、この圧接反力によって第１シール部材１と第２シール部材２の両者の分離が拘束される。したがって、第１シール部材１と第２シール部材２の分離によるシール性の低下を防止して信頼性を高めることができる。
【００１８】
外壁竪目地用ガスケットＧは、図５に示すように、上側の仕切部材３の下面、つまり傾斜面３２ｂが通気路４の奥側に向けて下向きに傾斜し、下側の仕切部材３の上面、つまり傾斜面３２ａが通気路４の奥側に向けて上向きに傾斜しているので、空気導入口６から通気路４への外気導入がスムーズになされるとともに、導入された外気の流れ方向を通気路４から空気排出口５に向けてスムーズに変換して排気することにより、竪目地７の外側（Ｏ）と内側（Ｉ）の気圧差をなくして、気圧差による外壁竪目地用ガスケットＧより内側（Ｉ）への雨水の浸入を防止することができる。
【００１９】
また、下側の仕切部材５の上面（傾斜面３２ａ）が空気導入口６側から通気路４の奥側に向けて上向きに傾斜しているので、立上がり高さＨを生じる。そのため、降雨が建物の外壁８，９に強く吹き付けられる暴風雨時などにおいて、空気導入口６に雨水が浸入しても、この雨水が通気路４の下端部にまで浸入して滞留するのを防止することができる。したがって、通気路４の通気を確保して外壁竪目地用ガスケットＧの内側（Ｉ）と外側（Ｏ）の気圧を等圧に保持して、気圧差による雨水の浸入を確実に防止できる。
【図面の簡単な説明】
【００２０】
【図１】本発明の一実施形態を分解して示す斜視図である。
【図２】本発明の一実施形態を分解して示す平面断面図である。
【図３】本発明の一実施形態の組立状態を一部破断して示す斜視図である。
【図４】本発明の一実施形態の組立状態を示す平面断面図である。
【図５】本発明の一実施形態を示す側面断面図である。
【図６】本発明の一実施形態の使用状態を示す平面断面図である。
【符号の説明】
【００２１】
Ｇ：外壁竪目地用ガスケット
１：第１シール部材
２：第２シール部材
３：仕切部材
４：通気路
５：空気排出口
６：空気導入口
７：竪目地
８：一方の外壁
８ａ：一方の外壁の対向面
９：他方の外壁
９ａ：他方の外壁の対向面
【図１】
2007169986.tif 000003
【図２】
2007169986.tif 000004
【図３】
2007169986.tif 000005
【図４】
2007169986.tif 000006
【図５】
2007169986.tif 000007
【図６】
2007169986.tif 000008